(57)【要約】【課題】煙や匂いが比較的少ない熱気（お湯を沸かす際の湯気等）のみしかキッチン内暖房として再利用されず、通常の調理時に発生するような煙・匂いを含んだ空気は再利用されずに排気されるだけというようなレンジフードにおいて、調理の際に発生する汚れ・匂い・熱を含んだ空気でも再利用可能にしてキッチン内を快適にすることができるレンジフードを提供することを目的とする。【解決手段】汚れ・匂い・熱を吸い込んだ空気を親水性フィルタ４、脱臭フィルタ５、気化熱フィルタ６を通過させる構成にしたことにより、汚れ・匂い・熱を除去した空気をキッチン内に循環させることで、快適空間を提供することが出来るレンジフードが得られる。【選択図】図１
2011085286.tif 000002
【特許請求の範囲】
【請求項１】
キッチンの空気を吸い込む吸気口と、吸い込んだ空気を吐出口から排出してキッチン内に循環させるファンと、水を付着させて通過する空気に含まれる汚れを除去する親水性フィルタと、通過する空気に含まれる臭い成分を除去する脱臭フィルタと、水を含ませて通過する空気から気化熱により奪う気化熱フィルタと、を備え、前記ファンによって吸い込んだ空気は前記親水性フィルタ、脱臭フィルタを通過させ、さらに前記気化熱フィルタを通過させることを特徴とするレンジフード。
【請求項２】
排出する空気の方向を制御する風向制御手段を備えていることを特徴とする請求項１記載のレンジフード。
【請求項３】
風向制御手段の動作を使用者が自由に設定できることを特徴とする請求項２記載のレンジフード。
【請求項４】
ファンが停止すると風向制御手段も自動的に閉状態となることを特徴とする請求項２記載のレンジフード。
【請求項５】
親水性フィルタと気化熱フィルタに水を供給する貯水タンクを備え、  親水性フィルタと気化熱フィルタに付着または含ませる水は貯水タンクから自動で給水及び排水できることを特徴とする請求項１記載のレンジフード。
【請求項６】
貯水タンクから水を供給してからの時間を積算する積算手段を備えていることを特徴とする請求項５記載のレンジフード。
【請求項７】
積算時間があらかじめ設定した時間を経過すると貯水タンクの水を排水し、その後新しい水を供給することを特徴とする請求項５記載のレンジフード。
【請求項８】
開閉制御して吸い込んだ空気をキッチン内に循環又は室外に排気するダンパーを備えていることを特徴とする請求項１記載のレンジフード。
【請求項９】
キッチン内の温度に応じて、ダンパーの開閉制御を自動で行うことを特徴とする請求項８記載のレンジフード。
【請求項１０】
キッチン内の温度があらかじめ設定された温度よりも低い場合には、室外に排気するようにダンパー制御することを特徴とする請求項８記載のレンジフード。
【請求項１１】
キッチン内の温度があらかじめ設定された温度よりも高い場合には、キッチン周辺に空気を排出し循環させるようにダンパー制御することを特徴とする請求項８記載のレンジフード。
【請求項１２】
ダンパー制御による空気の循環又は排気を使用者が自由に設定できることを特徴とする請求項８記載のレンジフード。
【発明の詳細な説明】
【技術分野】
【０００１】
本発明は調理の際に発生する汚れ・匂い・熱を含んだ空気を吸い込み排気させるレンジフードに関する。
【背景技術】
【０００２】
従来のレンジフードは、煙や匂いが比較的少ない熱気（お湯を沸かす際の湯気等）をキッチン内に戻す機能を備えることにより、無駄に排気されていた熱気をキッチン内暖房に利用していた（例えば特許文献１参照）。
【先行技術文献】
【特許文献】
【０００３】
【特許文献１】特開平０５−２３１６８８号公報
【発明の概要】
【発明が解決しようとする課題】
【０００４】
このような従来のレンジフードでは、煙や匂いが比較的少ない熱気（お湯を沸かす際の湯気等）のみしかキッチン内暖房として再利用されず、通常の調理時に発生するような煙・匂いを含んだ空気は再利用されずに排気されるだけという課題があった。
【０００５】
本発明では、調理時に発生する煙・匂いを含んだ空気も再利用することでにキッチン空間を快適にすることができるレンジフードを提供することを目的とする。
【課題を解決するための手段】
【０００６】
そして、この目的を達成するために、本発明は、キッチンの空気を吸い込む吸気口と、吸い込んだ空気を吐出口から排出してキッチン内に循環させるファンと、水を付着させて通過する空気に含まれる汚れを除去する親水性フィルタと、通過する空気に含まれる臭い成分を除去する脱臭フィルタと、水を含ませて通過する空気から気化熱により熱を奪う気化熱フィルタと、を備え、前記ファンによって吸い込んだ空気は前記親水性フィルタ、脱臭フィルタを通過させ、さらに前記気化熱フィルタを通過させることを特徴とするものであり、これにより所期の目的を達成するものである。
【発明の効果】
【０００７】
本発明によれば、キッチンの空気を吸い込む吸気口と、吸い込んだ空気を吐出口から排出してキッチン内に循環させるファンと、水を付着させて通過する空気に含まれる汚れを除去する親水性フィルタと、通過する空気に含まれる臭い成分を除去する脱臭フィルタと、水を含ませて通過する空気から気化熱により奪う気化熱フィルタと、を備え、前記ファンによって吸い込んだ空気は前記親水性フィルタ、脱臭フィルタを通過させ、さらに前記気化熱フィルタを通過させるという構成にしたことにより、汚れ・匂い・熱を含んだ空気が前記親水性フィルタと前記脱臭フィルタを通過することで汚れ・匂いを除去し、さらにその空気を前記気化熱フィルタを通過させることで熱を奪うことが出来るため、調理の際に発生する汚れ・匂い・熱成分を除去した空気をキッチン内に循環させることが出来るという効果を得ることが出来る。
【図面の簡単な説明】
【０００８】
【図１】本発明の実施の形態１のレンジフードの構成を示す断面図
【図２】本発明の実施の形態１のレンジフードの取り付け構成を示す断面図
【図３】同制御装置の構成を示す構成図
【図４】本発明の実施の形態１のレンジフードの動作を示すフローチャート
【発明を実施するための形態】
【０００９】
本発明の請求項１記載のレンジフードは、キッチンの空気を吸い込む吸気口と、吸い込んだ空気を吐出口から排出してキッチン内に循環させるファンと、水を付着させて通過する空気に含まれる汚れを除去する親水性フィルタと、通過する空気に含まれる臭い成分を除去する脱臭フィルタと、水を含ませて通過する空気から気化熱により奪う気化熱フィルタと、を備え、前記ファンによって吸い込んだ空気は前記親水性フィルタ、脱臭フィルタを通過させ、さらに前記気化熱フィルタを通過させるという構成を有する。
【００１０】
これにより、汚れ・匂い・熱を含んだ空気が前記親水性フィルタと前記脱臭フィルタを通過することで汚れ・匂いを除去し、さらにその空気を前記気化熱フィルタを通過させることで熱を奪うことが出来るため、調理の際に発生する熱を除去した空気をキッチン内に循環させることができ、キッチン空間を快適にする、つまり調理中に涼感を得ることができるという効果を奏する。
【００１１】
本発明の請求項２記載のレンジフードは、排出する空気の方向を制御する風向制御手段を備えていることを特徴とする。
【００１２】
これにより、キッチンの使用環境に応じて最適に風向を制御して、キッチン空間全体に空気を効率的に循環させることができるという効果を奏する。
【００１３】
本発明の請求項３記載のレンジフードは、風向制御手段の動作を使用者が自由に設定できることを特徴とする。
【００１４】
これにより、使用者の要望に応じて風向を制御することができ、キッチン内ではなく使用者にとって最も快適な環境を得ることが出来るという効果を奏する。
【００１５】
本発明の請求項４記載のレンジフードは、ファンが停止すると風向制御手段も自動的に閉状態となることを特徴とする。
【００１６】
これにより、ファンの停止とともに風向制御手段が閉状態となることで、使用者の操作性を向上させることができ、さらに風向制御手段の閉じ忘れ等の防止をすることができるという効果を奏する。
【００１７】
本発明の請求項５記載のレンジフードは、親水性フィルタと気化熱フィルタに水を供給する貯水タンクを備え、親水性フィルタと気化熱フィルタに付着または含ませる水は貯水タンクから自動で給水及び排水できることを特徴とする。
【００１８】
これにより、水の状態に応じて給排することができ、さらに使用者の使い勝手を向上させることができるという効果を奏する。
【００１９】
本発明の請求項６記載のレンジフードは、貯水タンクから水を供給してからの時間を積算する積算手段を備えていることを特徴とする。
【００２０】
これにより、前記積算時間から水の入れ替え時間を管理することができ、積算時間に応じて貯水タンクからの給排水を制御することが出来るという効果を奏する。
【００２１】
本発明の請求項７記載のレンジフードは、積算時間があらかじめ設定した時間を経過すると貯水タンクの水を排水し、その後新しい水を供給することを特徴とする。
【００２２】
これにより、各フィルタに含ませる水をあらかじめ設定した時間ごとにきれいな状態にすることができ、循環させる空気の汚れ・熱を安定して取り除くことができるという効果を奏する。
【００２３】
本発明の請求項８記載のレンジフードは、開閉制御して吸い込んだ空気をキッチン内に循環又は室外に排気するダンパーを備えていることを特徴とする。
【００２４】
これにより、キッチン内の環境に合わせて循環・排気を選択でき、キッチン空間を快適にすることができるという効果を奏する。
【００２５】
本発明の請求項９記載のレンジフードは、キッチン内の温度に応じて、ダンパーの開閉制御を自動で行うことを特徴とする。
【００２６】
これにより、キッチン内の温度に応じて、ダンパーの開閉制御を行うことで、循環・排気を切り替えて、キッチン内の温度環境が最適になるように制御できるという効果を奏する。
【００２７】
本発明の請求項１０記載のレンジフードは、キッチン内の温度があらかじめ設定された温度よりも低い場合には、室外に排気するようにダンパー制御することを特徴とする。
【００２８】
これにより、キッチン内の温度があらかじめ設定された温度よりも低い場合には室外に排気することとなり、キッチン内の温度環境が最適になるようにできるという効果を奏する。
【００２９】
本発明の請求項１１記載のレンジフードは、キッチン内の温度があらかじめ設定された温度よりも高い場合には、キッチン周辺に空気を排出し循環させるようにダンパー制御することを特徴とする。
【００３０】
これにより、キッチン内の温度があらかじめ設定された温度よりも高い場合にキッチン周辺に空気を排出して空気を循環させることとなり、キッチン内の温度環境が最適になるようにできるという効果を奏する。
【００３１】
本発明の請求項１２記載のレンジフードは、ダンパー制御による空気の循環又は排気を使用者が自由に設定できることを特徴とする。
【００３２】
これにより、使用者に要望、キッチン内の環境に応じて強制的に循環・排気運転させることができ、キッチン内の温度環境に依存することなく使用者にとって最も快適な環境を得ることができるという効果を奏する。
【００３３】
以下、本発明の実施の形態について図面を参照しながら説明する。
【００３４】
（実施の形態１）
図１、２に示すように、本体１と、調理の際に発生する煙・熱を含んだ空気を吸い込むファン２と、貯水ケース３の中の水に浸して使用し、吸い込んだ空気に含まれる汚れ成分を除去する親水性フィルタ４と、匂い成分を除去する脱臭フィルタ５（水に浸さない）と、貯水ケース３の中の水に浸して通過する空気の熱を除去する気化熱フィルタ６と、親水性フィルタ４、脱臭フィルタ５、気化熱フィルタ６を通過した後の空気をキッチン内に循環させる際の風向を制御することができる風向制御手段７と、親水性フィルタ４、脱臭フィルタ５、気化熱フィルタ６を通過した後の空気をキッチン内に循環又は室外に排気を選択するダンパー８と貯水ケース３に水を供給する室外に設置される貯水タンク９と貯水ケース３に水を給水及び排水するために弁（室内）１０と弁（室外）１１と、キッチン内の温度を測定する温度検出手段１２を備えた構成とする。
【００３５】
上記構成において、調理の際に発生する煙・熱を含んだ空気を再利用し室内に循環又は排気させるまでの動作について図３、４を用いて説明する。
【００３６】
まず、図４のフローチャートについて各動作ステップ毎に説明する。
【００３７】
レンジフードを運転する前に貯水タンク９から貯水ケース３に水を供給し、供給すると同時に積算手段１３によって時間の積算を開始して運転可能な状態にする。ここで積算手段１３としてはマイクロコンピューターと電気的に接続されて使用するＥＥＰＲＯＭが望ましい（ＳＴＥＰ１〜ＳＴＥＰ２）。
【００３８】
給水後、レンジフードの運転を開始する。使用者が調理をする際に発生した煙・熱を含んだ空気をファン２で吸い込み、親水性フィルタ４、脱臭フィルタ５を通過することで吸い込んだ空気に含まれる汚れ成分と匂い成分を除去し、さらに気化熱フィルタ６を通過することで熱成分を除去することが出来る。また、積算手段１３によって積算された時間ｔ１があらかじめ設定された時間Ｔ１よりも大きくなった場合には弁（室内）１０と弁（室外）１１を開状態にし貯水ケース３の水を排水し、排水後、弁（室内）１０を開状態、弁（室外）１１を閉状態にして貯水タンク９から貯水ケース３へ給水する。ｔ１がＴ１よりうも小さい場合には貯水ケース３の水を入替えをしない。ここで、Ｔ１としては安定してきれいな水を親水性フィルタ４、気化熱フィルタ６に供給するために２４〜７２時間程度が望ましい。また弁（室内）１０と弁（室外）１１はマイクロコンピューターと電気的に接続されているものとする（ＳＴＥＰ３〜ＳＴＥＰ６）。
【００３９】
吸い込んだ空気が各フィルタを通過後、温度検出手段１２によって検出されたキッチン内の温度ｔ２があらかじめ設定された温度Ｔ２に対して高い場合、風向制御手段７を開状態、ダンパー８を閉状態にすることでフィルタを通過した空気をキッチン内に循環させる。ｔ２がＴ２に対して低い場合、風向制御手段７を閉状態、ダンパー８を開状態にすることでフィルタを通過した空気を室内に循環させることなく室外へ排気する。また温度検出手段１２の値に依存せず、使用者の要望に応じて強制的に風向制御手段７及びダンパー８を制御することで、循環又は排気を自由に選択できるものとする。ここで温度検出手段１２としてはサーミスタ、風向制御手段７としては可動式ルーバー、Ｔ２としては２５℃〜４０℃程度の温度範囲が望ましい。また、風向制御手段７、ダンパー８はマイクロコンピューターと電気的に接続されているものとする（ＳＴＥＰ７〜ＳＴＥＰ１０）。
【００４０】
レンジフードの使用を停止すると風向制御手段７を開状態して使用していた場合、停止と同時に自動的に風向制御手段７も閉状態なる（ＳＴＥＰ１１〜ＳＴＥＰ１２）。
【産業上の利用可能性】
【００４１】
本発明のレンジフードは、調理の際に発生する汚れ・匂い・熱成分を除去した空気をキッチン内に循環させることを可能とするもので、調理時に発生する空気を室外に排気するレンジフードに有用である。
【符号の説明】
【００４２】
１    本体
２    ファン
３    貯水ケース
４    親水性フィルタ
５    脱臭フィルタ
６    気化熱フィルタ
７    風向制御手段
８    ダンパー
９    貯水タンク
１０  弁（室内）
１１  弁（室外）
１２  温度検出手段
１３  積算手段
【図１】
2011085286.tif 000003
【図２】
2011085286.tif 000004
【図３】
2011085286.tif 000005
【図４】
2011085286.tif 000006